(57)【特許請求の範囲】
【請求項１】
屋根面に形成された開口の縁部に固定された開口枠と、
屋根面に形成された開口及び前記開口枠を覆うと共に該開口枠との間に換気経路を形成する蓋部材とを有し、
前記開口枠の水下側及び屋根の勾配に沿った両側に形成される換気経路には、
雨水の浸入を防止可能な換気材が取付けられる換気材取付部と、火災時に発泡する熱発泡材が配置される熱発泡材取付部とが室外側から室内側に向けて順に設けられる
ことを特徴とする屋根面換気ユニット。
【請求項２】
前記換気材取付部には、前記換気材よりも水下側となる内枠に、当該換気経路内に浸入した水を排出可能な孔が形成されている
ことを特徴とする請求項１に記載の屋根面換気ユニット。
【請求項３】
前記熱発泡材は、前記換気経路の経路中の室外側から室内側に至る複数箇所に間隔を空けて設けられている
ことを特徴とする請求項１又は請求項２に記載の屋根面換気ユニット。
【請求項４】
前記換気経路は、前記開口枠の上部に設けられる筒状の枠体により形成され、前記蓋部材は、当該枠体及び前記開口枠を覆って設けられており、
前記蓋部材の内面には、該内面の全面にわたって前記換気経路に配置した熱発泡材と同様の熱発泡材が設けられている
ことを特徴とする請求項１乃至請求項３のいずれかに記載の屋根面換気ユニット。
【発明の詳細な説明】
【０００１】
【発明の属する技術分野】
本発明は、屋根面に形成された開口に配置されて外気との換気をはかると共に火災時には換気経路を遮断して火炎や熱の伝搬を防止することが出来る屋根面換気ユニットに関するものである。
【０００２】
【従来の技術】
住宅等では、屋根裏空間や小屋裏収納等の小屋裏空間に熱や湿気がこもると建物に悪影響を及ぼすので、これらの熱や湿気を排除するために、屋根面を介して外気との換気をはかることが行なわれている。屋根面の換気を行なう場合、該屋根面に所定の寸法を持った開口を形成し、この開口に換気機能を持った換気口を取り付けるのが一般的である。屋根面に取り付ける換気口として種々の構造を持ったものが提供されているが、代表的な構成は、屋根面に形成した開口の縁部に開口枠を取り付けると共に該開口枠の上部に蓋部材を取り付け、両者の間に換気用の通路を形成している。
【０００３】
屋根面に換気ユニットを取り付けた住宅では、近隣の家屋で火災が発生したような場合、火災による火炎や熱が換気ユニットを通して屋根裏空間や小屋裏空間に伝搬される虞がある。従って、火災発生時には、熱や温度を感知して換気用の通路を遮断することで、火炎や熱が前記空間に伝搬されることを阻止して防火性を発揮し得るような構造とすることが好ましい。しかし、現在市場に提供されている換気ユニットには防火性を有するものは存在しない。
【０００４】
このため、屋根面に於ける換気部位の防火対応構造として、屋根面に形成された開口にファイヤーダンパーを設置しておき、火災時にこのファイヤーダンパーを作動させて開口を遮断することで、火炎や熱の伝搬を阻止し得るように構成するのが一般的である。
【０００５】
【発明が解決しようとする課題】
上記の如く、屋根面に形成した開口にファイヤーダンパーを設置して防火対応とした構造では、このファイヤーダンパーに相当する分の価格が高くなって設備費が増大するという問題が生じる。またファイヤーダンパーは機械的な構造を持っており、該ファイヤーダンパーを屋根面に設置した場合、可動部に錆等が発生すると充分な防火性能を発揮し得なくなる。このため、確実な保守管理が必須となり、これらの作業に要する費用や手間が掛かるという問題がある。
【０００６】
また設置したファイヤーダンパーが屋根裏側に突出して該屋根裏に設けた断熱材と干渉する虞がある。更に、ファイヤーダンパーが開口の面積を低減させることとなり、充分な換気量を確実に確保し得ないことがあるという問題が生じる。
【０００７】
本発明の目的は、設備費を増大させることなく、且つ充分な換気量を確保すると共に火災時に確実に防火対応することが出来る屋根面換気ユニットを提供することにある。
【０００８】
【課題を解決するための手段】
上記課題を解決するために本発明に係る屋根面換気ユニットは、屋根面に形成された開口の縁部に固定された開口枠と、屋根面に形成された開口及び前記開口枠を覆うと共に該開口枠との間に換気経路を形成する蓋部材とを有し、前記開口枠の水下側及び屋根の勾配に沿った両側に形成される換気経路には、雨水の浸入を防止可能な換気材が取付けられる換気材取付部と、火災時に発泡する熱発泡材が配置される熱発泡材取付部とが室外側から室内側に向けて順に設けられるものである。
【０００９】
上記屋根面換気ユニットに於いて、前記換気材取付部には、前記換気材よりも水下側となる内枠に、当該換気経路内に浸入した水を排出可能な孔が形成されていることが好ましい。
【００１０】
上記何れかの屋根面換気ユニットに於いて、前記熱発泡材は、前記換気経路の経路中の室外側から室内側に至る複数箇所に間隔を空けて設けられていることが好ましい。
【００１１】
また上記いずれかの屋根面換気ユニットに於いて、前記換気経路は、前記開口枠の上部に設けられる筒状の枠体により形成され、前記蓋部材は、当該枠体及び前記開口枠を覆って設けられており、前記蓋部材の内面には、該内面の全面にわたって前記換気経路に配置した熱発泡材と同様の熱発泡材が設けられていることが好ましい。
【００１２】
上記屋根面換気ユニットでは、開口枠と蓋部材との間に形成された換気経路を介して外気と屋根裏空間或いは小屋裏収納等の小屋裏空間（以下単に「屋根裏空間」という）との換気をはかることが可能であり、且つ換気経路に熱発泡材を配置したことによって、火災時に伝搬された熱によって該熱発泡材が発泡することで換気経路を遮断して火炎や熱の伝搬を阻止することが出来る。
【００１３】
従って、熱発泡材が発泡する以前の寸法を考慮して換気経路の面積を設定することで充分な換気量を確保すると共に屋根面に形成された開口も必要な面積が確保されているため充分な換気量を確保することが出来る。そして、火災の発生時に熱が熱発泡材に作用することによって該熱発泡材が発泡して、換気経路を遮断することで火炎や熱が屋根裏空間に入ることがなく、防火対応構造とすることが出来る。
【００１４】
【発明の実施の形態】
以下、上記屋根面換気ユニットの好ましい実施形態について図を用いて説明する。図１は第１実施例に係る屋根面換気ユニットを勾配に沿った方向の断面図である。図２は第１実施例に係る屋根面換気ユニットを勾配に対し直角方向の断面図である。図３は換気経路を説明する模式図である。図４は熱発泡材が発泡して換気経路を遮断した状態を説明する模式図である。図５は屋根面換気ユニットを取り付けた屋根を説明する図である。図６は第２実施例に係る屋根面換気ユニットの構成を説明する図である。
【００１５】
各実施例に係る屋根面換気ユニットＡ，Ｄは、図５に示すように、屋根Ｂに形成した開口Ｃに対応して配置され、屋根面換気ユニットＡ，Ｄに形成された換気経路３及び開口Ｃを介して外気と屋根裏空間Ｅを換気し、且つ近隣で発生した火災により火炎や熱が伝搬されたとき、この熱の作用によって熱発泡材が発泡して換気経路３を遮断することで、屋根裏空間Ｅに対する火炎や熱の伝搬を遮断して防火に寄与し得るように構成されている。
【００１６】
一般に、住宅等の建物では屋根Ｂも屋根材の種類等の条件に応じた防火基準が設けられており、屋根面換気ユニットＡ，Ｄも前記防火基準を満足し得るように構成されている。
【００１７】
特に、各実施例に係る屋根面換気ユニットＡ，Ｄは勾配のついた屋根Ｂに取り付けられており、方形である。また屋根Ｂを流下する雨水等の影響を受けることがないように構成されている。即ち、屋根面換気ユニットＡ，Ｄは、勾配に沿った両側部位及び勾配に於ける雨水等の流下側（水下側）の三辺から外気を取り入れることが可能なように構成され、上流側（水上側）の一辺には外気を取り入れるような構成はない。そして三辺から取り入れた外気を開口Ｃの四周を介して流通させることで、屋根裏空間Ｅとの換気をはかることが可能なように構成されている。
【００１８】
先ず、図１，図２により第１実施例に係る屋根面換気ユニットＡの構成について説明する。屋根Ｂに形成された開口Ｃの縁部には該開口Ｃを囲んで開口枠１が設けられており、該開口枠１に開口Ｃを覆うと共に開口枠１との間に換気経路３を構成する蓋部材２が配置され、更に、換気経路３の所定位置にシート状の熱発泡材４が配置されている。
【００１９】
開口Ｃは屋根Ｂを構成する下地材５に予め設定された寸法を持って形成されており、開口枠１は開口Ｃの周囲の縁部に配置されて下地材５に固着されている。下地材５が合板等の木質材からなる野地板である場合、開口枠１も予め設定された寸法を持った木質材によって構成され、釘或いは木ネジ等の最適な手段下地材５に固着されている。また下地材５の上表面であって開口枠１によって区画された以外の面には、瓦やスレート等の屋根材６が配置され、夫々所定の手段で下地材５に固着されている。
【００２０】
開口枠１の水上側には内枠７ａが釘やビス等の手段によって固着され、水下側及び屋根Ｂの勾配に沿った両側には内枠７ｂが同様に釘やビス等によって固着されている。また内枠７ａ，７ｂに対し夫々外枠８ａ，８ｂが対向して配置され、両者は所定の片を互いに重ね合わせると共に、この重ね合わせた片を介してビス等によって互いに固着されている。
【００２１】
外枠８ａは水上側に配置されるものであり、外気を取り入れる機能を有するものではない。外枠８ｂを構成する外周下片８ｃには図示しない複数の切欠部が形成されており、これらの切欠部が外気の取り入れ口としての機能を発揮する。また外枠８ａ，８ｂの内周垂直片８ｄであって換気経路３と対応する面にも図示しない複数の切欠部が形成されており、これらの切欠部を介して外部から取り入れた外気を開口Ｃ側に流通させるように構成している。
【００２２】
従って、開口枠１の上部には、内枠７ａと外枠８ａ、内枠７ｂと外枠８ｂとの組み合わせからなり、内部に互いに連通した換気経路３を構成し、且つ外枠８ｂに対応して外気を取り入れる機能を発揮すると共に、取り入れた外気を外枠８ａ，８ｂの全ての内周垂直片８ｄから開口Ｃに流通させることが可能な筒状の枠体９が固着されることとなる。
【００２３】
尚、図１に示す水下側に配置した内枠７ｂに形成した孔７ｃは、筒状の枠体９の内部に浸入した水を排出する機能を有するものである。
【００２４】
上記換気経路３には換気材取付部３ａと熱発泡材取付部３ｂとが形成されている。外枠８ｂに対応した換気材取付部３ａには外周下片８ｃよりも換気方向の下流側に換気材10が設けられており、外枠８ａ，８ｂに対応した熱発泡材取付部３ｂには熱発泡材４が設けられている。
【００２５】
上記換気材10は雨水と虫の侵入を防止する機能を有するものであり、屋根Ｂを構成する屋根材６に降りかかって飛散した水滴が外枠８ｂの外周下片８ｃに形成した切欠部から換気経路３に浸入したとき、この水滴を補足して下方に流し、換気材取付部３ａから孔７ｃを通して外部に排出することが可能である。従って、雨天時であっても、水滴が屋根裏空間Ｅに浸入することがない。
【００２６】
熱発泡材４はシート状に形成されると共に、換気経路３に於ける熱発泡材取付部３ｂの対向する面に接着等の手段によって固着されている。熱発泡材４は、予め設定された熱が作用したとき、この熱に応じて発泡して換気経路３を遮断するものである。このため、熱発泡材４は予め設定された発泡温度と発泡倍率とを有しており、高い防火性能を有している。
【００２７】
熱発泡材４を熱発泡材取付部３ｂに取り付けるに際し、幅の広いシート状に形成した１枚の熱発泡材４を熱発泡材取付部３ｂに配置して接着しても良く、また比較的幅の狭いシート状に形成した複数の熱発泡材４を熱発泡材取付部３ｂに於ける換気方向の横断して配置すると共に夫々の熱発泡材４を個別に接着して取り付けても良い。
【００２８】
本実施例では、熱発泡材４として、厚さ３mmで幅15mm、及び厚さ３mmで幅20mmのシートを利用している。また換気経路３に於ける熱発泡材取付部３ｂの高さ寸法は約30mm〜35mm程度に設定されている。
【００２９】
開口枠１の上部に取り付けた枠体９の上部に、開口Ｃ及び枠体９を覆う蓋部材２が取り付けられている。この蓋部材２は、天井片２ａと、この天井面２ａの周囲に形成された垂下片２ｂとからなり、蓋部材２を枠体９に取り付けたとき、垂下片２ｂの下端は屋根材６の表面との間に外気を取り入れるのに充分な間隙を確保している。また蓋部材２の内面には、該内面の全面にわたって換気経路３に配置した熱発泡材４と同様の熱発泡材11が接着等の手段によって取り付けられている。
【００３０】
本実施例に於いて、内枠７ａ，７ｂ及び外枠８ａ，８ｂは金属によって構成されている。このため、枠体９が結露する虞があり、該枠体９の屋根裏空間Ｅ側の面には全面にわたって通気性を持った防露材12が取り付けられている。
【００３１】
次に、上記の如く構成された屋根面換気ユニットＡの平常時に於ける換気機能と、火災時に於ける換気経路の遮断機能について図３，図４により説明する。尚、図３，図４は模式図であり、前記機能を説明する際の最小限の部分が記載されている。
【００３２】
通常時は、図３に示すように、換気経路３の熱発泡材取付部３ｂに取り付けた熱発泡材４はシート状の初期形状を維持しており、換気経路３は何ら遮断されることがない。このため、換気経路３は矢印に示す外気の流れを維持して外気と屋根裏空間Ｅとの換気を行なうことが可能である。
【００３３】
近隣で火災が発生して熱を持った外気が換気経路３に入り込んだとき、該熱が熱発泡材４に作用し、この熱によって熱発泡材４が発泡を開始する。そして熱発泡材４の発泡が終了したとき或いは終了する以前に、換気経路３の熱発泡材取付部３ｂは発泡体によって遮断され、外気の流れが阻止される。
【００３４】
このため、火災による火炎や熱が屋根面換気ユニットＡから屋根裏空間Ｅ内に進入，伝搬されることがない。このとき、発泡した熱発泡材４の防火性能は、屋根Ｂの防火性能と等しいか或いはより高い性能を有しており、確実な防火対応構造とすることが可能である。
【００３５】
次に、第２実施例に係る屋根面換気ユニットＤの構成について図５により説明する。尚、図に於いて前述の第１実施例と同一部分及び同一の機能を有する部分には同一の符号を付して説明を省略する。
【００３６】
開口Ｃの周縁部位に設けた開口枠１の上部であって水上側には内枠21ａが固着されており、水下側及び両側には内枠21ｂが固着されている。また内枠21ａに対向して外枠22ａが配置されると共に内枠21ｂに対向して外枠22ｂが配置され、夫々互いに固着されて両者の間に連続した換気経路３が形成されている。
【００３７】
また水上側の外枠22ａには該外枠22ａと屋根材６との間にＬ字状に形成した水上水切23が配置されており、この水上水切23によって屋根材６の上方から流下した水を内枠21ａの下方に流すことなく、屋根面換気ユニットＤの両側に導いている。また水下側には開口枠１と屋根材６との間に水下水切24が配置されており、この水下水切24によって屋根Ｂを構成する下地材５と屋根材６との間に水が浸入することを防止している。
【００３８】
換気経路３には該換気経路３に於ける空気の流れを阻害するように突起25が配置されており、この突起25によって換気経路３に浸入した水滴を補足し得るように構成されている。従って、屋根面換気ユニットＤには、第１実施例に係る屋根面換気ユニットＡに配置された換気材10は設けられていない。
【００３９】
熱発泡材４は換気経路３であって上記突起25よりも下流側に設けられている。従って、近隣で火災が発生して熱を持った外気が換気経路３に入り込んだとき、この熱に応じて熱発泡材４が発泡して換気経路３を遮断することが可能である。
【００４０】
上記の如く構成された屋根面換気ユニットＤであっても、前述した第１実施例の場合と全く同様の防火対応構造とすることが可能である。
【００４１】
【発明の効果】
以上詳細に説明したように本発明に係る屋根面換気ユニットでは、屋根面に形成した開口の縁部に設けた開口枠と、該開口枠の上部に取り付けた蓋部材との間に換気経路を構成し、この換気経路に熱発泡材を配置したので、通常時には、熱発泡材が通常の形状を維持して所定の換気経路を構成し、これにより、充分な量の換気を確保することが出来る。即ち、ファイヤーダンパーを設置した場合に発生した該ファイヤーダンパーの断熱材との干渉を排除し、充分な換気量を確保することが出来る。
【００４２】
また火災時に熱が作用したとき、熱発泡材が発泡して換気経路を遮断し、これにより、換気経路を介しての熱の伝搬を阻止することが出来、防火対応構造とすることが出来る。
【００４３】
特に、熱発泡材が熱により発泡して換気経路を遮断するので、機械的な作動部分が皆無であり、該作動部分の保守点検を必要としない。このため、所謂メンテナンスフリーとして極めて容易で且つ確実な防火対応構造とすることが出来る。また機械的なファイヤーダンパーを設置する構造と比較してコストを低減することが出来る。
【図面の簡単な説明】
【図１】第１実施例に係る屋根面換気ユニットを勾配に沿った方向から断面した図である。
【図２】第１実施例に係る屋根面換気ユニットを勾配に対し直角な方向から断面した図である。
【図３】換気経路を説明する模式図である。
【図４】熱発泡材が発泡して換気経路を遮断した状態を説明する模式図である。
【図５】屋根面換気ユニットを取り付けた屋根を説明する図である。
【図６】第２実施例に係る屋根面換気ユニットの構成を説明する図である。
【符号の説明】
Ａ，Ｄ                  屋根面換気ユニット
Ｂ                      屋根
Ｃ                      開口
１                      開口枠
２                      蓋部材
２ａ                    天井片
２ｂ                    垂下片
３                      換気経路
３ａ                    換気材取付部
３ｂ                    熱発泡材取付部
４，11                  熱発泡材
５                      下地材
６                      屋根材
７ａ，７ｂ              内枠
７ｃ                    排出孔
８ａ，８ｂ              外枠
８ｃ                    外周下片
８ｄ                    内周垂直片
９                      枠体
10                      換気材
12                      防露材
21ａ，21ｂ              内枠
22ａ，22ｂ              外枠
23                      水上水切
24                      水下水切
25                      突起
【図１】
0004390337.tif 000002
【図２】
0004390337.tif 000003
【図３】
0004390337.tif 000004
【図４】
0004390337.tif 000005
【図５】
0004390337.tif 000006
【図６】
0004390337.tif 000007